(57)【要約】【課題】健常者から、床ずれ予防、治療を要する患者に至るまで、使用者等に合わせて反発性を調整して、単独で使うことは勿論、既存の寝具と組み合わせて使うことができるようにする。【解決手段】人体が仰臥可能な寸法の軟質性素材２で構成して、この軟質性素材２に、幅方向に沿って所定間隔ごとに固さ調整欠部４を形成する。この固さ調整欠部４は、軟質性素材２表面に幅方向両端に亘って開口した開口溝部４ａと、かかる開口溝部４ａと連通して、軟質性素材２内部に拡張展開する断面略長円状の調整溝部４ｂとを有する。そして、これら固さ調整欠部４に隙間なく交換可能に嵌合すべき、複数の種々の反発性の調整素材５を備えて、これら種々の反発性の調整素材５を、それぞれ選択的に前記固さ調整欠部４に嵌合させて、使用者の身体状況や嗜好に応じた反発性に調整可能とする。【選択図】　　　　　　　図２
2004049415.tif 000002
【特許請求の範囲】
【請求項１】
軟質性素材で構成して、人体が仰臥可能な寸法として、表地に収容し、前記軟質性素材に散在させて固さ調整欠部を設ける一方、これら固さ調整欠部に選択的に嵌合すべき、種々の反発性の調整素材を備え、これら種々の反発性の調整素材を、それぞれ選択的に前記固さ調整欠部に嵌合させて、使用者の身体状況や嗜好に応じた反発性に調整可能としたことを特徴とする敷物装置。
【請求項２】
軟質性素材で構成して、人体が仰臥可能な寸法として、表地に収容し、前記軟質性素材に散在させて固さ調整欠部を設ける一方、これら固さ調整欠部に選択的に嵌合すべき、種々の反発性の調整素材を備え、これら種々の反発性の調整素材を、それぞれ選択的に前記固さ調整欠部に嵌合させて、使用者の身体状況や嗜好に応じた反発性に調整可能とした敷物を、ベッド上のマットレス上に載置して、前記敷物とマットレスとをカバー部材により被覆することを特徴とする敷物装置。
【請求項３】
軟質性素材で構成して、人体が仰臥可能な寸法として、表地に収容し、前記軟質性素材に散在させて固さ調整欠部を設ける一方、これら固さ調整欠部に選択的に嵌合すべき、種々の反発性の調整素材を備え、これら種々の反発性の調整素材を、それぞれ選択的に前記固さ調整欠部に嵌合させて、使用者の身体状況や嗜好に応じた反発性に調整可能とした敷物を、布団上に載置して、前記敷物と布団とをカバー部材により被覆することを特徴とする敷物装置。
【請求項４】
軟質性素材で構成して、人体が仰臥可能な寸法として、表地に収容し、前記軟質性素材に散在させて固さ調整欠部を設ける一方、これら固さ調整欠部に選択的に嵌合すべき、種々の反発性の調整素材を備え、これら種々の反発性の調整素材を、それぞれ選択的に前記固さ調整欠部に嵌合させて、使用者の身体状況や嗜好に応じた反発性に調整可能とした敷物を、この敷物に比較して硬質の素材で構成した下層部材と、前記敷物に比較して薄手且つ軟質の素材で構成した上層部材との間に介在して、これら上層部材と敷物と下層部材とをカバー部材により被覆することを特徴とする敷物装置。
【請求項５】
前記固さ調整欠部は、前記軟質性素材表面に軟質性素材幅方向に所定間隔ごとに形成した開口溝部と、この開口溝部に連通して前記軟質性素材内部に拡張展開する調整溝部とで構成したことを特徴とする請求項１ないし４記載のうち、いずれか１記載の敷物装置。
【請求項６】
前記表地は、伸縮性を兼ね備えた防水性の布部材で構成したことを特徴とする請求項１、３ないし５記載のうち、いずれか１記載の敷物装置。
【発明の詳細な説明】
【０００１】
【発明の属する技術分野】
本発明は、健常者には、より快適な敷物装置を提供すると共にかかる健常者から、床ずれ予防、治療を要する患者に至るまで、使用者等に合わせて反発性を調整して、単独で使うことは勿論、既存の寝具と組み合わせて使うことができるようにした、敷物装置に関するものである。
【０００２】
【従来の技術】
高齢化社会に突入した現在、寝たきり等の入院患者数の増加と共に、褥瘡（じょくそう：床ずれ）発生の危険の高い患者が増加している。
以前、本出願人は、褥瘡対策を施したマットレスとして例えば特開平１１−１３７６１３号を提案している。この場合のマットレスでは、二層構造としており、通常使用対応の、比較的硬質素材で構成した第１マットレス（図示省略）と、床ずれ対策を施した例えば軟質な低反発ウレタンを用いた第２マットレス（図示省略）とを積層すると共に、これら第１マットレスと第２マットレスとを、表地に一体収容する構成としている。
前記マットレスによれば、床ずれ予防、治療を要する患者のみならず、健常者用のマットレスとしても使うことができるものとなっている。
また最近、本出願人は、ベッド上に限らず、和室に敷いた布団での使用も可能とした敷物を提案している。
かかる敷物によれば、病院内に限らず、在宅においても、より褥瘡の発生予防に効果を発揮するものであるので、高齢化社会に呼応した有効な褥瘡対策であるといえる。
【０００３】
【発明が解決しようとする課題】
このように、上記敷物は、床ずれ予防、治療を要する患者用としてのものであるので、広く健常者から患者、老人が使えるような敷物は未だ見受けられない。そのために、使用者個々の好み、あるいは傷病状況に応じるには、前記敷物の固さの調整がきくようにすることで達成可能であると考えられる。
本発明はこのような背景から提案されたものであって、健常者には、より快適な敷物装置を提供すると共にかかる健常者から、床ずれ予防、治療を要する患者に至るまで、使用者等に合わせて反発性を調整して、単独で使うことは勿論、既存の寝具と組み合わせて使うことができ、褥瘡対策にも呼応した、敷物装置を提供することを目的とする。
【０００４】
【課題を解決するための手段】
前記した課題を解決するために、本発明では、請求項１において、軟質性素材で構成して、人体が仰臥可能な寸法として、表地に収容し、前記軟質性素材に散在させて固さ調整欠部を設ける一方、これら固さ調整欠部に選択的に嵌合すべき、種々の反発性の調整素材を備え、これら種々の反発性の調整素材を、それぞれ選択的に前記固さ調整欠部に嵌合させて、使用者の身体状況や嗜好に応じた反発性に調整可能とした敷物装置を提案する。
また本発明では、請求項２において、軟質性素材で構成して、人体が仰臥可能な寸法として、表地に収容し、前記軟質性素材に散在させて固さ調整欠部を設ける一方、これら固さ調整欠部に選択的に嵌合すべき、種々の反発性の調整素材を備え、これら種々の反発性の調整素材を、それぞれ選択的に前記固さ調整欠部に嵌合させて、使用者の身体状況や嗜好に応じた反発性に調整可能とした敷物を、ベッド上のマットレス上に載置して、前記敷物とマットレスとをカバー部材により被覆する敷物装置を提案する。
また本発明では、請求項３において、軟質性素材で構成して、人体が仰臥可能な寸法として、表地に収容し、前記軟質性素材に散在させて固さ調整欠部を設ける一方、これら固さ調整欠部に選択的に嵌合すべき、種々の反発性の調整素材を備え、これら種々の反発性の調整素材を、それぞれ選択的に前記固さ調整欠部に嵌合させて、使用者の身体状況や嗜好に応じた反発性に調整可能とした敷物を、布団上に載置して、前記敷物と布団とをカバー部材により被覆する敷物装置を提案する。
また本発明では、請求項４において、軟質性素材で構成して、人体が仰臥可能な寸法として、表地に収容し、前記軟質性素材に散在させて固さ調整欠部を設ける一方、これら固さ調整欠部に選択的に嵌合すべき、種々の反発性の調整素材を備え、これら種々の反発性の調整素材を、それぞれ選択的に前記固さ調整欠部に嵌合させて、使用者の身体状況や嗜好に応じた反発性に調整可能とした敷物を、この敷物に比較して硬質の素材で構成した下層部材と、前記敷物に比較して薄手且つ軟質の素材で構成した上層部材との間に介在して、これら上層部材と敷物と下層部材とをカバー部材により被覆する敷物装置を提案する。
また本発明では、請求項５において、前記固さ調整欠部は、前記軟質性素材表面に軟質性素材幅方向に所定間隔ごとに形成した開口溝部と、この開口溝部に連通して前記軟質性素材内部に拡張展開する調整溝部とで構成した敷物装置を提案する。
さらに本発明では、請求項６において、前記表地は、伸縮性を兼ね備えた防水性の布部材で構成した敷物装置を提案する。
【０００５】
請求項１によれば、使用者に応じて軟質性素材に形成した固さ調整欠部に、種々の反発性の調整素材を適宜、選択的に嵌合して、その使用者に対応した反発性に調整することができ、健常者から床ずれ対策を要する患者まで対応させることができる。
【０００６】
請求項２によれば、使用者に応じて軟質性素材の固さ調整欠部に、種々の反発性の調整素材を適宜、選択的に嵌合して、その使用者に対応した反発性に調整することができ、ベッドのマットレス上に載置して、前記敷物とマットレスとをカバー部材により被覆して使用することができる。なお、軟質性素材は一体であり、安定性があり、ベッド上において使用者にあった好適な体圧分散がもたらされ、寝姿勢の保持が図られる。
【０００７】
請求項３によれば、敷物をその使用者に対応した反発性に調整可能であるので、前記敷物と通常の布団とをカバー部材により被覆すれば、和室における布団をその使用者の好みに応じた固さとすることができる。
なお、軟質性素材は一体であることから安定した寝姿勢保持が可能であり、前記調整素材によって、使用者にあった好適な体圧分散がもたらされ、快適な寝心地を得ることができる。
【０００８】
請求項４によれば、敷物をその使用者に対応した反発性に調整可能であるので、その敷物に比較して硬質の素材で構成した下層部材と、敷物に比較して薄手且つ軟質の素材で構成した上層部材との間に介在して、これら上層部材と敷物と下層部材とをカバー部材により被覆して使用することができる。
その際、使用者が上層部材に乗っても、下層部材によって衝撃が吸収され、軟質性素材は一体であることから安定した寝姿勢が確保され、前記敷物における調整素材によって体圧が好適に分散される。
【０００９】
請求項５によれば、前記軟質性素材表面に軟質性素材幅方向に所定間隔ごとに形成した固さ調整欠部の開口溝部を介して、軟質性素材内部に拡張展開する調整溝部に、種々の反発性の調整素材を適宜、選択的に嵌合することで、簡単に使用者に対応した反発性に調整することができ、いっそう効果的な体圧分散、および寝姿勢の保持が図られる。軟質性素材は一体であり、また、前記調整素材は、簡単に固さ調整欠部から外れることはなく、安定した寝姿勢が確保される。
【００１０】
請求項６によれば、表地内に収容した軟質性素材、および調整素材に外部からの水分、汚れ等が侵入するのを遮断して、感染予防に寄与することができ、且つ清拭等、清掃も容易である。
【００１１】
【発明の実施の態様】
以下、本発明にかかる敷物装置につき、一つの実施の態様を示し、添付の図面に基づいて説明する。
図１に敷物１を示す。この敷物１は、人体が仰臥可能な寸法の軟質性素材２で構成して、袋状表地３に収容するようにしている。
【００１２】
前記軟質性素材２としては、例えば厚さ３０ｍｍ〜７０ｍｍ、見掛け密度が１０ｋｇ／ｍ３〜１００ｋｇ／ｍ３、圧縮硬さが１０Ｎ〜４００Ｎのウレタンフォーム材を用いることができる。また軟質性素材２としては、フォームラバーも可能である。
かかる軟質性素材２には、幅方向に沿って所定間隔ごとに固さ調整欠部４を形成している。この場合、固さ調整欠部４は、軟質性素材２表面に幅方向両端に亘って開口した開口溝部４ａと、かかる開口溝部４ａと連通して、軟質性素材２内部に拡張展開する断面略長円状の調整溝部４ｂとを有している。
前記開口溝部４ａは、溝幅が調整溝部４ｂの軟質素材２長手方向寸法に比較してはるかに小さく設定されている。
また前記調整溝部４ｂは、軟質素材２内部において、軟質性素材２幅方向両端に亘って連通形成され、最大幅方向が軟質素材２長手方向に指向するようにしている。
【００１３】
そして、これら固さ調整欠部４に隙間なく交換可能に嵌合すべき、複数の種々の反発性の調整素材５を備えている。すなわちこれら調整素材５は、固さ調整欠部４における開口溝部４ａ、調整溝部４ｂにそれぞれ対応した、基部５ａと、膨出部５ｂとを備えている。
これら種々の反発性の調整素材５を、それぞれ選択的に前記固さ調整欠部４に嵌合させて、使用者の身体状況や嗜好に応じた反発性に調整可能としている（図２参照）。なお、調整素材５の材質は明示しないが、周知の様々な反発性の合成樹脂で構成することができる。
【００１４】
また前記表地３には、伸縮性のある布部材を用いている。また、伸縮性と共に撥水性、または防水性を有する布地を用いることもできる。かかる表地３は長手方向側面側にファスナ（図示省略）を設けて、前記軟質性素材２における固さ調整欠部４に、適宜な調整素材５を交換嵌合すると共に、容易に一体収容するようにしている。
【００１５】
以上のような敷物１において、前記調整素材５を軟質性素材２における固さ調整欠部４に嵌合させるには、軟質性素材２表面に幅方向両端に亘って開口した開口溝部４ａを溝幅方向に拡張変形させて、かかる開口溝部４ａを介して調整素材５の膨出部５ｂを押し入れていくようにする。これによって、軟質性素材２内部の調整溝部４ｂに前記膨出部５ｂを、前記開口溝部４ａに調整素材５の基部５ａを隙間なく嵌合させることができる。
このように、軟質性素材２は一体であり、また、軟質性素材２の反発性を利用して、軟質性素材２内部の調整溝部４ｂに前記調整素材５における幅広の膨出部５ｂを隙間なく嵌合させるので外れにくく、安定性があり、使いやすいものとなる。
【００１６】
前記調整素材５における幅広の膨出部５ｂを、軟質性素材２内部の調整溝部４ｂに嵌合させると、前記膨出部５ｂはあたかも軟質性素材２の芯材として機能し、かかる調整素材５を嵌合した固さ調整欠部４近傍の軟質性素材２の反発性は、前記調整素材５の反発性によって調整されたものとすることができる。
以上のように機能する固さ調整欠部４を、軟質性素材２に所定間隔ごとに形成したので、種々の反発性の調整素材５を適宜、選択的に嵌合することで、健常者から床ずれ対策を要する患者まで対応させることができ、いっそう効果的な体圧分散、および寝姿勢の保持が図られる。
なお軟質性素材２には、例えば厚さ３０ｍｍ〜７０ｍｍ、見掛け密度が１０ｋｇ／ｍ３〜１００ｋｇ／ｍ３、圧縮硬さが１０Ｎ〜４００Ｎの範囲のウレタンフォーム材を用いているので、前記調整素材５を、軟質性素材２と同様の反発性のものを用いれば床ずれ対策を要する患者に対応させることができる。
【００１７】
このように、前記敷物１の詰め物としての軟質性素材２は単層であるので扱いやすく、ベッドＢのマットレスＭ上に載置して、前記敷物１とマットレスＭとをカバー部材６により被覆して使用することができる（図３参照）。その際、敷物１の詰め物としての軟質性素材２の固さ調整欠部４に、種々の反発性の調整素材５を、それぞれ選択的に前記固さ調整欠部４に嵌合させて、使用者の身体状況や嗜好に応じた反発性に調整することができ、健常者は勿論、床ずれ対策を要する患者に対応した反発性に調整することができる。
これにより、ベッドＢ上において使用者にあった好適な体圧分散がもたらされ、寝姿勢の保持が図られる。
【００１８】
また、前記敷物１と通常の布団７とをカバー部材６により被覆すれば、和室における布団７をその使用者の好みに応じた固さとすることができる（図４参照）。なお、軟質性素材は一体であり、また、調整素材は外れにくく安定性があり、使用者にあった好適な体圧分散がもたらされ、快適な寝心地を得ることができる。
【００１９】
さらに、その敷物１に比較して硬質の素材で構成した下層部材８と、敷物１に比較して薄手且つ軟質の素材で構成した上層部材９との間に介在して、これら上層部材９と敷物１と下層部材８とをカバー部材６により被覆して使用することもできる（図５参照）。
その際、使用者が上層部材９に乗っても、下層部材８によって衝撃が吸収され、軟質性素材２は一体であり、また、調整素材５は外れにくく安定性のある前記敷物１によって体圧が好適に分散され、寝姿勢保持が図られる。
【００２０】
なお、表地３には、伸縮性を有する布地を用いることにより、分割片２ａ〜２ｅを弛みなく保持することができ、また伸縮性と共に、撥水性、または防水性を有する布地を用いれば、表地３内に収容した軟質性素材２、調整素材５に、外部からの水分、汚れ等が侵入するのを遮断して、感染予防に寄与することができ、且つ清拭等、清掃も容易である。
【００２１】
【発明の効果】
本発明によれば、
（１）使用者に応じて軟質性素材に形成した固さ調整欠部に、種々の反発性の調整素材を適宜、選択的に嵌合して、その使用者に対応した反発性に調整することができ、健常者から床ずれ対策を要する患者まで対応させることができる。
（２）使用者に応じて軟質性素材の固さ調整欠部に、種々の反発性の調整素材を適宜、選択的に嵌合して、その使用者に対応した反発性に調整することができ、ベッドのマットレス上に載置して、前記敷物とマットレスとをカバー部材により被覆して使用することができる。なお、軟質性素材は一体であり、安定性があり、ベッド上において使用者にあった好適な体圧分散がもたらされ、寝姿勢の保持が図られる。
（３）敷物をその使用者に対応した反発性に調整可能であるので、前記敷物と通常の布団とをカバー部材により被覆すれば、和室における布団をその使用者の好みに応じた固さとすることができる。
なお、軟質性素材は一体であることから安定した寝姿勢保持が可能であり、前記調整素材によって、使用者にあった好適な体圧分散がもたらされ、快適な寝心地を得ることができる。
（４）敷物をその使用者に対応した反発性に調整可能であるので、その敷物に比較して硬質の素材で構成した下層部材と、敷物に比較して薄手且つ軟質の素材で構成した上層部材との間に介在して、これら上層部材と敷物と下層部材とをカバー部材により被覆して使用することができる。
その際、使用者が上層部材に乗っても、下層部材によって衝撃が吸収され、軟質性素材は一体であることから安定した寝姿勢が確保され、前記敷物における調整素材によって体圧が好適に分散される。
（５）前記軟質性素材表面に軟質性素材幅方向に所定間隔ごとに形成した固さ調整欠部の開口溝部を介して、軟質性素材内部に拡張展開する調整溝部に、種々の反発性の調整素材を適宜、選択的に嵌合することで、簡単に使用者に対応した反発性に調整することができ、いっそう効果的な体圧分散、および寝姿勢の保持が図られる。軟質性素材は一体であり、また、前記調整素材は、簡単に固さ調整欠部から外れることはなく、安定した寝姿勢が確保される。
（６）表地内に収容した軟質性素材、および調整素材に外部からの水分、汚れ等が侵入するのを遮断して、感染予防に寄与することができ、且つ清拭等、清掃も容易である。
【００２２】
【図面の簡単な説明】
【図１】本発明にかかる敷物装置の一例を示す、外観斜視図である。
【図２】図１に示す敷物装置の断面説明図である。
【図３】図１に示す敷物装置をベッド上におけるマットレスと組み合わせて使用した例を示す、側面説明図である。
【図４】図１に示す敷物装置を布団と組み合わせて使用した例を示す、側面説明図である。
【図５】図１に示す敷物装置を下層部材、上層部材間の中間層として使用した例を示す、側面説明図である。
【符号の説明】
１　　　　　　　　　　　　　　　　　敷物
２　　　　　　　　　　　　　　　　　軟質性素材
３　　　　　　　　　　　　　　　　　表地
４　　　　　　　　　　　　　　　　　固さ調整欠部
４ａ　　　　　　　　　　　　　　　　開口溝部
４ｂ　　　　　　　　　　　　　　　　調整溝部
５　　　　　　　　　　　　　　　　　調整素材
５ａ　　　　　　　　　　　　　　　　基部
５ｂ　　　　　　　　　　　　　　　　膨出部
６　　　　　　　　　　　　　　　　　カバー部材
７　　　　　　　　　　　　　　　　　布団
８　　　　　　　　　　　　　　　　　下層部材
９　　　　　　　　　　　　　　　　　上層部材
Ｂ　　　　　　　　　　　　　　　　　ベッド
Ｍ　　　　　　　　　　　　　　　　　マットレス
【図１】
2004049415.tif 000003
【図２】
2004049415.tif 000004
【図３】
2004049415.tif 000005
【図４】
2004049415.tif 000006
【図５】
2004049415.tif 000007